(57)【要約】      （修正有）【課題】農業作業などに使用される薬剤噴霧装置内の洗浄に好適な噴霧装置を提供する。【解決手段】薬剤を流通させて噴霧するための噴霧器２と、噴霧器２とパイプ６を介して連通する三方弁３と、三方弁３にホース７を介して薬剤を供給するポンプ装置４と、三方弁３に取り付けられ、噴霧器２とパイプ６内に圧縮空気を送気するコンプレッサー５とから成るものとする。【選択図】図１
0003190501.tif 000002
【実用新案登録請求の範囲】
【請求項１】
薬剤を流通させて噴霧するための噴霧器と、該噴霧器とパイプを介して連通する経路変更機構と、該経路変更機構にホースを介して薬剤を供給するポンプ装置と、前記経路変更機構に取り付けられ、前記噴霧器とパイプ内に圧縮空気を送気するコンプレッサーとからなり、前記噴霧器により薬剤を噴霧した後の噴霧器内及び該噴霧器に接続するパイプ内を前記コンプレッサーによる圧縮空気の送気により洗浄することを特徴とする噴霧装置。
【請求項２】
前記経路変更手段は、三方ボール弁であることを特徴とする請求項１記載の噴霧装置。
【請求項３】
前記経路変更手段は、コントロール弁と、減圧感知器と、該コントロール弁を制御する制御装置と、からなり、薬剤の噴霧操作終了に伴う減圧を感知してコントロール弁を制御することを特徴とする請求項１記載の噴霧装置。
【考案の詳細な説明】
【技術分野】
【０００１】  本考案は、主に農作業において使用される噴霧装置に関し、特に噴霧作業後の装置内に滞留する薬液などの洗浄機構に関する。
【背景技術】
【０００２】  一般に農作業においては水の散布や各種の液状薬剤の散布に動噴装置が多用されている。そして栽培される作物が収穫された後は、一定期間これら装置の使用が全くされずに放置されている。とくにビニルハウス内で設置して薬剤を散布を行う装置の場合には、長期間放置することで、パイプなどの内部に薬剤が固着して詰まりが生じたり、新たな薬剤を使用する場合に薬剤が混合するなどの障害が発生する虞がある。【０００３】  薬剤散布装置の洗浄装置に関しては、例えば特許文献１に開示されているように、ヘリコプター本体と薬剤装置を洗浄する洗浄装置が開示されている。また、自動車などの製造ラインにおける塗装工程に使用される塗布装置の内部を洗浄する構造も開示されている（特許文献２参照）。
【先行技術文献】
【特許文献】
【０００４】
【特許文献１】  実用新案登録第３１７５６７４号公報
【特許文献２】  実開平７−１３４５７号公報
【考案の概要】
【考案が解決しようとする課題】
【０００５】  しかし、上記した特許文献１の場合では、ヘリコプターの薬剤散布後のヘリコプター本体と散布装置の洗浄を行くものであるが、ビニルハウスなどの農業施設内に設置する設備に関しては考慮されたものではなかった。また、特許文献２に記載された塗布装置は、塗料の切り替えにシンナーなどの有機溶剤を使用する必要から、複雑な経路が必要となり高価なものである。【０００６】  そこで、本考案は上記従来の問題に鑑みなされたもので、噴霧作業が終了後に簡単な操作によって噴霧装置内の残留薬剤を排出することができ、しかも新たな薬剤の投入の際に薬剤が混合を防ぐことができる装置を提供することを目的とする。
【課題を解決するための手段】
【０００７】  上述した課題を解決するために、本考案にあっては、薬剤を流通させて噴霧するための噴霧器と、該噴霧器とパイプを介して連通する経路変更機構と、該経路変更機構にホースを介して薬剤を供給するポンプ装置と、前記経路変更機構に取り付けられ、前記噴霧器とパイプ内に圧縮空気を送気するコンプレッサーとからなり、前記噴霧器により薬剤を噴霧した後の噴霧器内及び該噴霧器に接続するパイプ内を前記コンプレッサーによる圧縮空気の送気により洗浄することを特徴とする。【０００８】  経路変更手段は、三方ボール弁であることを特徴とする。【０００９】  また経路変更手段は、コントロール弁と、減圧感知器と、該コントロール弁を制御する制御装置と、からなり、薬剤の噴霧操作終了に伴う減圧を感知してコントロール弁を制御することを特徴とする。
【考案の効果】
【００１０】  本考案によれば、薬剤を流通させて噴霧するための噴霧器と、該噴霧器とパイプを介して連通する経路変更機構と、該経路変更機構にホースを介して薬剤を供給するポンプ装置と、前記経路変更機構に取り付けられ、前記噴霧器とパイプ内に圧縮空気を送気するコンプレッサーとから構成されており、経路変更機構の経路変更と、コンプレッサーによる送気によって噴霧装置とパイプ内の残留薬剤を容易に除去することができる。【００１１】  経路変更機構は手動操作ばかりでなく、制御装置によって自動的に操作可能である。
【図面の簡単な説明】
【００１２】
【図１】本考案を実施するための一形態における噴霧装置の内部構成を示す図である。
【図２】噴霧装置の他例を示す構成図である。
【考案を実施するための形態】
【００１３】  以下、図面を参照して本考案の実施の一形態を詳細に説明する。本実施形態にける噴霧装置１は、主として農業用ビニルハウス内に設置して使用されるものである。なお、以下の図示例においては手動によって制御する構成と、自動制御できる構成となっているが、いずれであってかまわないことは勿論である。
【実施例】
【００１４】  図１に示すように、本考案の噴霧装置１は、複数の噴霧器２、２・・と、経路変更機構である三方弁３と、パイプ６及びホース７を介して接続され、薬剤を供給するポンプ装置４と、噴霧器内に圧縮空気を送気するコンプレッサー５とから概ね構成されている。この構成において、三方弁３の操作によって薬剤の流れと圧縮空気の流れが制御される。【００１５】  上記の構成において、薬剤などの液体はポンプ装置４からホース７及び三方弁３を経由して噴霧器２に送られ散布される。図中Ａは薬剤の流れを示す。【００１６】  同様に、コンプレッサー５から圧縮空気がホース７及び三方弁３を経由してパイプ６及び噴霧器２に送気され、パイプ６内及び噴霧器２内の薬剤などの残留物を排出する。図中Ｂは圧縮空気の流れを示す。【００１７】  次に、以上のように構成された噴霧装置１の使用の一例について説明すると、先ず、噴霧器２から散布させる薬剤を入れた容器（図示せず）を準備し、ポンプ装置４と接続する。次に三方弁３を操作し、ポンプ装置４からホース７、三方弁３、パイプ６を介して噴霧器２への経路を形成し、ポンプ装置４を作動させて薬剤を噴霧器２へ流入させて噴霧させる。噴霧作業が終了すると、三方弁３をコンプレッサー５からパイプ６を介して噴霧器２への経路を形成し、コンプレッサー５を作動させて圧縮空気をパイプ６から噴霧器２へと送気し、上記の残留薬剤を排出する。尚、さらに他の薬剤を使用する際には、上記と同様の操作によってポンプ装置４を作動させて噴霧することができる。【００１８】  次に、上記した噴霧装置１の変形例について説明する。なお、本変形例において、上記した本実施形態（図１）と同じ部分には同じ符号を付してその詳細な説明を省略する。本変形例においては、図２に示すように、上記図１における噴霧装置１の三方弁３に換えてコントロール弁３ａを利用している。そして、ポンプ装置４からホース７、コントロール弁３ａ、減圧感知器８、パイプ６を経由して噴霧器２と接続される。また、コンプレッサー５はホース７、コントロール弁３ａ、パイプ６を経由して噴霧器２と接続されている。ここで、上記コントロール弁３ａはいずれも制御盤９によって制御されると共に、減圧感知器８による感知信号によって制御される。また、制御盤９は電源装置（図示せず）とスイッチ１０にて電力供給される。【００１９】  上記、図２に示す噴霧装置１は図１に示す噴霧装置と同様に薬剤の噴霧作業を行うと、ポンプ装置の操作の終了と同時に、減圧感知器８の感知信号が制御盤９へ送信され、さらにこの感知信号によって制御盤９はコントロール弁３ａを夫々開閉する。【００２０】  尚、上記した本実施形態において、さらに他の様々な変形例も可能であり、ビニルハウス内の湿度や温度、或は日射計などのセンサーによる制御も当然考慮される。
【産業上の利用分野】
【００２１】  本考案に係る霧装置は、主として農業用ビニルハウスなどで使用される薬剤散布装置に使用されが、その他様々な用途に応用しても良い。
【符号の説明】
【００２２】１……噴霧装置
２……噴霧器
３……三方弁
３ａ…コントロール弁
４……ポンプ装置
５……コンプレッサー
６……パイプ
７……ホース
８……減圧感知器
９……制御盤
１０…スイッチ
【図１】
0003190501.tif 000003
【図２】
0003190501.tif 000004